(57)【要約】【課題】コネクタと配線との着脱作業を簡易且つ安全に行うことが可能となる、巻上げシステムを提供すること。【解決手段】巻上げシステム６０は、建物の開口部３の開閉を行うための開閉体３０を開閉機５０を介して巻き上げるための巻上げシステムであって、開閉機５０の入力軸に接続された駆動部６１であって、開閉機５０を電動で駆動させるための駆動部６１と、開閉体３０を収納する収納部１０の外部に設けられ、且つ駆動部６１に対して直接又は間接に接続された駆動側配線４に取り付けられた第１コネクタ部６２であって、駆動部６１に電力を供給する電源部６９に対して直接又は間接に接続された電源側配線５を着脱自在に接続するための第１コネクタ部６２と、を備え、第１コネクタ部６２を、建物の床面９ａに位置する作業者が当該第１コネクタ部６２と電源側配線５との着脱作業を実施可能となる作業可能位置Ｈ１に配置した。【選択図】図１
2020122341.tif 000002
【特許請求の範囲】
【請求項１】
建物の開口部の開閉を行うための開閉体を開閉機を介して巻き上げるための巻上げシステムであって、
前記開閉機の回転軸に接続された駆動手段であって、前記開閉機を電動で駆動させるための駆動手段と、
前記開閉体を収納する収納手段の外部に設けられ、且つ前記駆動手段に対して直接又は間接に接続された駆動側配線に取り付けられたコネクタであって、前記駆動手段に電力を供給する電源手段に対して直接又は間接に接続された電源側配線を着脱自在に接続するためのコネクタと、を備え、
前記コネクタを、前記建物の床面に位置する作業者が当該コネクタと前記電源側配線との着脱作業を実施可能となる位置に配置した、
巻上げシステム。
【請求項２】
前記コネクタを、前記開口部の近傍に位置する前記建物の躯体の部分のうち前記床面よりも上方側の部分に対して直接又は間接に取り付けた、
請求項１に記載の巻上げシステム。
【請求項３】
前記コネクタを収納するためのコネクタ収納手段を備える、
請求項１又は２に記載の巻上げシステム。
【請求項４】
前記駆動手段の駆動によって前記開閉体の巻き上げを指示する巻上信号の入力を受け付ける操作手段と、
前記操作手段と電気的に接続された制御手段であって、前記操作手段による前記巻上信号の入力の有無に基づいて前記駆動手段を制御する制御手段と、を備え、
前記電源側配線は、
前記コネクタ側に位置する第１電源側配線と、
前記電源手段側に位置する第２電源側配線と、を備え、
前記第１電源側配線を介して前記制御手段と前記コネクタとを相互に接続すると共に、前記第２電源側配線を介して前記制御手段と前記電源手段とを相互に接続することにより、前記電源側配線、前記操作手段、及び前記制御手段を搬送可能とした、
請求項１から３のいずれか一項に記載の巻上げシステム。
【請求項５】
前記収納手段の外部に設けられ、且つ前記コネクタに電気的に接続された操作手段であって、前記駆動手段の駆動によって前記開閉体の巻き上げを指示する巻上信号の入力を受け付ける操作手段と、
前記収納手段の外部又は内部に設けられ、前記操作手段による前記巻上信号の入力の有無に基づいて前記駆動手段を制御する制御手段と、を備え、
前記駆動側配線は、
前記コネクタ側に位置する第１駆動側配線と、
前記駆動手段側に位置する第２駆動側配線と、を備え、
前記第１駆動側配線を介して前記制御手段と前記コネクタとを相互に接続すると共に、前記第２駆動側配線を介して前記制御手段と前記駆動手段とを相互に接続することにより、前記操作手段及び前記制御手段を前記建物の躯体又は前記収納手段に設置可能とした、
請求項１から３のいずれか一項に記載の巻上げシステム。
【請求項６】
前記開閉機は、第１制御手段によって制御される電動式の開閉機であり、
前記駆動手段の駆動によって開閉体の巻き上げを指示する巻上信号の入力を受け付ける操作手段と、
前記操作手段にて受け付けられた前記巻上信号の入力の有無に基づいて前記駆動手段を制御する第２制御手段と、を備え、
前記第２制御手段は、前記操作手段による前記巻上信号の入力が受け付けられている場合には、前記第１制御手段による前記開閉機の制御を中止する旨を指示する中止信号を前記第１制御手段に対して出力する、
請求項１から３のいずれか一項に記載の巻上げシステム。
【請求項７】
前記電源手段は、１００Ｖの商用交流電源である、
請求項１から６のいずれか一項に記載の巻上げシステム。
【発明の詳細な説明】
【技術分野】
【０００１】
本発明は、巻上げシステムに関する。
【背景技術】
【０００２】
従来、建物の壁等に設けられた開口部には、火災発生時の延焼を防止する防災手段として、開口部を閉鎖する防火シャッターが設けられている。この防火シャッターにおいては、シャッターカーテンを火災発生時にのみ降下させればよく頻繁に降下させる必要がないので、手動式の防火シャッターが多く用いられている。このような防火シャッターに対しては、シャッターカーテンを火災発生時に正常に降下可能であることを確認するため、点検作業が定期的に行われている。この点検作業においては、シャッターカーテンによって開口部を閉鎖した後、シャッターカーテンを巻上げて初期状態に復帰させるために、シャッターカーテンを巻上げる巻上げ作業を行っている。しかしながら、上述の如き手動式の防火シャッターにおいては、シャッターカーテンを手動で巻上げる必要があるため、作業者の労力が大きかった。特に、シャッターの開閉方向の長さ（高さ）が比較的高い場合や点検対象となるシャッターの数が多い場合には、巻上げ作業を手動で行うことは、作業者にとって大きな負担となっていた。
【０００３】
そこで、このような作業者の負担を軽減するために、例えば、防火シャッターを構成するシャッター収納部の内部において防火シャッターを構成する開閉機の回転軸と着脱自在に接続された駆動部であって、開閉機を電動で駆動させるための駆動部と、開閉機と駆動部とを水平方向に並設した状態で、駆動部を開閉機の筐体に対して着脱自在に固定する固定部と、シャッター収納部の外部において商用電源と配線を介して接続された操作部であって、操作入力を受け付ける操作部と、シャッター収納部の内部において、駆動部と配線及びコネクタを介して電気的に接続された制御ユニットであって、操作部を介して受け付けられる巻上信号の入力の有無に基づいてシャッターカーテンの巻上げを行う制御部を備える制御ユニットと、を備えた巻上げ装置が開示されている（特許文献１参照）。また、上記コネクタは、シャッター収納部の内部に配置されたコネクタであって、制御ユニットから張り出された配線と操作部側に位置する配線とを着脱自在に接続するコネクタと、シャッター収納部の外部において操作部よりも上方位置に配置されたコネクタであって、上記操作部側に位置する配線と操作部から張り出された配線とを着脱自在に接続するコネクタとを備えている。このような巻上げ装置によれば、作業者が床面上にいながら巻上げ作業を行うことができるため、巻上げ作業を容易に行うことができる。
【先行技術文献】
【特許文献】
【０００４】
【特許文献１】特開２０１６−１９４１９４号公報
【発明の概要】
【発明が解決しようとする課題】
【０００５】
しかしながら、上記従来の巻上げ装置においては、上述したように、コネクタをシャッター収納部の内部に配置すると共に、コネクタをシャッター収納部の外部において操作部よりも上方位置に配置するので、例えば、制御ユニットをシャッター収納部の内部に配置した状態で、配線及びコネクタを用いて制御ユニットと操作部とを接続する作業を行う場合には、作業者が当該作業をシャッター収納部の周辺位置又はその近傍位置の如き高所位置で行う必要があるので、作業者の安全性を確保することが難しくなるおそれがあった。したがって、上記作業の安全性の観点からは改善の余地があった。
【０００６】
本発明は、上記従来技術における課題を解決するためのものであって、コネクタと配線との着脱作業を簡易且つ安全に行うことが可能となる、巻上げシステムを提供することを目的とする。
【課題を解決するための手段】
【０００７】
上述した課題を解決し、目的を達成するために、請求項１に記載の巻上げシステムは、建物の開口部の開閉を行うための開閉体を開閉機を介して巻き上げるための巻上げシステムであって、前記開閉機の回転軸に接続された駆動手段であって、前記開閉機を電動で駆動させるための駆動手段と、前記開閉体を収納する収納手段の外部に設けられ、且つ前記駆動手段に対して直接又は間接に接続された駆動側配線に取り付けられたコネクタであって、前記駆動手段に電力を供給する電源手段に対して直接又は間接に接続された電源側配線を着脱自在に接続するためのコネクタと、を備え、前記コネクタを、前記建物の床面に位置する作業者が当該コネクタと前記電源側配線との着脱作業を実施可能となる位置に配置した。
【０００８】
請求項２に記載の巻上げシステムは、請求項１に記載の巻上げシステムにおいて、前記コネクタを、前記開口部の近傍に位置する前記建物の躯体の部分のうち前記床面よりも上方側の部分に対して直接又は間接に取り付けた。
【０００９】
請求項３に記載の巻上げシステムは、請求項１又は２に記載の巻上げシステムにおいて、前記コネクタを収納するためのコネクタ収納手段を備える。
【００１０】
請求項４に記載の巻上げシステムは、請求項１から３のいずれか一項に記載の巻上げシステムにおいて、前記駆動手段の駆動によって前記開閉体の巻き上げを指示する巻上信号の入力を受け付ける操作手段と、前記操作手段と電気的に接続された制御手段であって、前記操作手段による前記巻上信号の入力の有無に基づいて前記駆動手段を制御する制御手段と、を備え、前記電源側配線は、前記コネクタ側に位置する第１電源側配線と、前記電源手段側に位置する第２電源側配線と、を備え、前記第１電源側配線を介して前記制御手段と前記コネクタとを相互に接続すると共に、前記第２電源側配線を介して前記制御手段と前記電源手段とを相互に接続することにより、前記電源側配線、前記操作手段、及び前記制御手段を搬送可能とした。
【００１１】
請求項５に記載の巻上げシステムは、請求項１から３のいずれか一項に記載の巻上げシステムにおいて、前記収納手段の外部に設けられ、且つ前記コネクタに電気的に接続された操作手段であって、前記駆動手段の駆動によって前記開閉体の巻き上げを指示する巻上信号の入力を受け付ける操作手段と、前記収納手段の外部又は内部に設けられ、前記操作手段による前記巻上信号の入力の有無に基づいて前記駆動手段を制御する制御手段と、を備え、前記駆動側配線は、前記コネクタ側に位置する第１駆動側配線と、前記駆動手段側に位置する第２駆動側配線と、を備え、前記第１駆動側配線を介して前記制御手段と前記コネクタとを相互に接続すると共に、前記第２駆動側配線を介して前記制御手段と前記駆動手段とを相互に接続することにより、前記操作手段及び前記制御手段を前記建物の躯体又は前記収納手段に設置可能とした。
【００１２】
請求項６に記載の巻上げシステムは、請求項１から３のいずれか一項に記載の巻上げシステムにおいて、前記開閉機は、第１制御手段によって制御される電動式の開閉機であり、前記駆動手段の駆動によって開閉体の巻き上げを指示する巻上信号の入力を受け付ける操作手段と、前記操作手段にて受け付けられた前記巻上信号の入力の有無に基づいて前記駆動手段を制御する第２制御手段と、を備え、前記第２制御手段は、前記操作手段による前記巻上信号の入力が受け付けられている場合には、前記第１制御手段による前記開閉機の制御を中止する旨を指示する中止信号を前記第１制御手段に対して出力する。
【００１３】
請求項７に記載の巻上げシステムは、請求項１から６のいずれか一項に記載の巻上げシステムにおいて、前記電源手段は、１００Ｖの商用交流電源である。
【発明の効果】
【００１４】
請求項１に記載の巻上げシステムによれば、収納手段の外部に設けられ、且つ駆動手段に対して直接又は間接に接続された駆動側配線に取り付けられたコネクタであって、駆動手段に電力を供給する電源手段に対して直接又は間接に接続された電源側配線を着脱自在に接続するためのコネクタを備え、コネクタを、建物の床面に位置する作業者が当該コネクタと電源側配線との着脱作業を実施可能となる位置に配置したので、作業者が地上にいながら上記着脱作業を実施でき、従来技術（コネクタをシャッター収納部の内部に配置し、且つコネクタをシャッター収納部の外部において操作部よりも上方位置に配置した技術）に比べて、作業者が収納手段付近で上記着脱作業を行う必要がなくなることから、上記着脱作業を簡易且つ安全に行うことが可能となる。
【００１５】
請求項２に記載の巻上げシステムによれば、コネクタを、開口部の近傍に位置する建物の躯体の部分のうち床面よりも上方側の部分に対して直接又は間接に取り付けたので、上記着脱作業の作業性を維持しながら、コネクタを安定して取り付けることができる。
【００１６】
請求項３に記載の巻上げシステムによれば、コネクタを収納するためのコネクタ収納手段を備えるので、コネクタ収納手段にコネクタを収納できる。よって、コネクタが外部から露出することを防止できることから、例えば、コネクタを常設する場合において第三者によってコネクタが不用意に触れられることを回避しやすくなる。
【００１７】
請求項４に記載の巻上げシステムによれば、操作手段と、操作手段と電気的に接続された制御手段と、を備え、第１電源側配線を介して制御手段とコネクタとを相互に接続すると共に、第２電源側配線を介して制御手段と電源手段とを相互に接続することにより、電源側配線、操作手段、及び制御手段を搬送可能としたので、電源側配線、操作手段、及び制御手段をまとめて搬送することができる。よって、例えば、建物において開閉体、開閉機、駆動手段、コネクタ、及び駆動側配線を備える開閉装置が複数設置されている場合に、電源側配線、操作手段、及び制御手段からなるセットを１つ用意しておくだけで、このセットを用いて各開閉装置の開閉体の巻上げを行うことができ、巻上げシステムの設置コストの低減化を図りやすくなる。
【００１８】
請求項５に記載の巻上げシステムによれば、収納手段の外部に設けられ、且つコネクタに電気的に接続された操作手段と、収納手段の外部又は内部に設けられた制御手段と、を備え、第１駆動側配線を介して制御手段とコネクタとを相互に接続すると共に、第２駆動側配線を介して制御手段と駆動手段とを相互に接続することにより、操作手段及び制御手段を建物の躯体又は収納手段に設置可能としたので、駆動側配線、操作手段、及び制御手段をまとめて躯体又は収納手段に設置することができる。よって、上記着脱作業を行う際に制御手段及び操作手段を搬送する必要がなくなるため、電源側配線を用いて操作手段及び制御手段を接続する場合に比べて、上記着脱作業の効率化を図りやすくなる。
【００１９】
請求項６に記載の巻上げシステムによれば、開閉機が、第１制御手段によって制御される電動式の開閉機であり、巻上信号の入力を受け付ける操作手段と、操作手段にて受け付けられた巻上信号の入力の有無に基づいて駆動手段を制御する第２制御手段と、を備え、第２制御手段が、操作手段による巻上信号の入力が受け付けられている場合には、中止信号を第１制御手段に対して出力するので、中止信号の出力を行わない場合に比べて、第１制御手段による開閉機の制御と第２制御手段による駆動手段の制御とが同時に行われることで開閉機又は駆動手段が故障することを回避できる。
【００２０】
請求項７に記載の巻上げシステムによれば、電源手段が、１００Ｖの商用交流電源であるので、他の電源手段に比べて電力を比較的確保しやすくなるため、巻上げシステムの使用性を高めやすくなる。
【図面の簡単な説明】
【００２１】
【図１】本発明の実施の形態１に係る開閉装置を概念的に示す正面図である（一部図示省略）。
【図２】図１の収納部の周辺領域を示す図である（一部図示省略）。
【図３】図２のＡ−Ａ矢視断面図である（一部図示省略）。
【図４】蓋部を閉じた状態のコネクタ収納部を示す正面図である。
【図５】実施の形態１に係る巻上げ処理のフローチャートである。
【図６】実施の形態２に係る開閉装置を概念的に示す正面図である（一部図示省略）。
【図７】蓋部を閉じた状態のコネクタ収納部を示す正面図である。
【図８】実施の形態３に係る開閉装置を概念的に示す正面図である（一部図示省略）。
【図９】実施の形態３に係る巻上げ処理のフローチャートである。
【発明を実施するための形態】
【００２２】
以下に添付図面を参照して、この発明に係る巻上げシステムの実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２３】
〔I〕実施の形態の基本的概念
まず、実施の形態の基本的概念について説明する。実施の形態は、概略的に、建物の開口部の開閉を行うための開閉体を開閉機を介して巻上げるための巻上げシステムに関するものである。
【００２４】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、又は床等）において窓や入り口を設置するために形成された開口部である。また、開閉体、開閉機、及び巻上げシステムを備える「開閉装置」とは、防犯や防火のために、建物の開口部に取り付けられる装置であり、例えば、重量シャッター、軽量シャッター、窓シャッター、パイプシャッター等を含む概念である。また、開閉装置の開閉構造は任意であり、例えば「上下開閉式の開閉装置」、「左右開閉式の開閉装置」等として構成することができる。また、開閉装置の駆動方式は任意であり、例えば、「手動式の開閉装置」、「電動式の開閉装置」等が該当する。以下、実施の形態１、２では、開閉装置が、商業施設の如き建物の外壁に設けられた上下開閉式且つ手動式のシャッター装置である場合について説明し、実施の形態３では、開閉装置が、建物の外壁に設けられた上下開閉式且つ電動式のシャッター装置である場合について説明する。
【００２５】
〔II〕実施の形態の具体的内容
次に、実施の形態の具体的内容について説明する。
【００２６】
〔実施の形態１〕
まず、実施の形態１に係る巻上げシステムについて説明する。この実施の形態１は、開閉装置が、手動式のシャッター装置であり、後述の電源側配線に接続された後述の巻上側制御部を備える形態である。
【００２７】
（構成）
最初に、実施の形態１に係る巻上げシステムが適用される開閉装置の構成について説明する。以下の説明では、図１のＸ方向を開閉装置の左右方向（−Ｘ方向を開閉装置の左方向、＋Ｘ方向を開閉装置の右方向）、図３のＹ方向を開閉装置の前後方向（＋Ｙ方向を開閉装置の前方向（建物の屋外側の方向）、−Ｙ方向を開閉装置の後方向（建物の屋内側の方向））、図１のＺ方向を開閉装置の上下方向（＋Ｚ方向を開閉装置の上方向、−Ｚ方向を開閉装置の下方向）と称する。
【００２８】
開閉装置１は、図１から図３に示すように、概略的に、収納部１０、ガイドレール２０、開閉体３０、巻取軸４０、駆動側軸受部４１、従動側軸受部（図示省略）、開閉機５０、自動閉鎖装置（図示省略）、手動閉鎖装置（図示省略）、及び巻上げシステム６０を備えている。ただし、開閉装置１に関する特記しない構成については、従来と同様であるものとして説明を省略する。
【００２９】
（構成−収納部）
図１に戻り、収納部１０は、開閉体３０を収納するための収納手段である。この収納部１０は、例えば天井納まり式の収納ケースを用いて構成されており（又は露出納まり式の収納ケースであってもよい）、具体的には、鋼製の中空体にて形成されており、図１から図３に示すように、建物における開口部３の上端部よりも上方に設置されている（具体的には、建物の天井９ｂよりも上方に設置されている）。また、この収納部１０の内部には、巻取軸４０が収納されていると共に、巻取軸４０にて開閉体３０が巻上げられた状態では、開閉体３０の少なくとも一部も収納部１０の内部に収納される。
【００３０】
また、図２、図３に示すように、この収納部１０は、駆動側軸受板１１、駆動側取付片１２、従動側軸受板１３、従動側取付片（図示省略）、及びケース板１４を備えている。
【００３１】
（構成−収納部−駆動側軸受板、駆動側取付片）
駆動側軸受板１１は、収納部１０の収納空間の左端部を覆うための板材であり、図２、図３に示すように、上記収納空間の左端部を覆うように略垂直に設けられ、駆動側取付片１２に対して固定具等によって接続されている。駆動側取付片１２は、建物の躯体２（具体的には、外壁）に対して駆動側軸受板１１を取り付けるための板材であり、図３に示すように、駆動側軸受板１１よりも後方において躯体２と対向するように設けられており、躯体２に対して固定具等によって接続されている。
【００３２】
（構成−収納部−従動側軸受板、従動側取付片）
従動側軸受板１３は、上記収納空間の右端部を覆うための板材であり、図２に示すように、上記収納空間の右端部を覆うように略垂直に設けられ、従動側取付片に対して固定具等によって接続されている。従動側取付片は、躯体２に対して従動側軸受板１３を取り付けるための板材であり、従動側軸受板１３よりも後方において躯体２と対向するように設けられており、躯体２に対して固定具等によって接続されている。
【００３３】
（構成−収納部−ケース板）
ケース板１４は、上記収納空間の背面、上面、及び下面を覆うための湾曲状の板材であり、図２、図３に示すように、上記収納空間の背面、上面、及び下面を覆うように設けられ、躯体２に対して固定具等によって接続されている。
【００３４】
また、図３に示すように、収納部１０の下方側に位置する天井９ｂには、開閉体３０を中心とする建物の屋外側と建物の屋内側にそれぞれまぐさ１０ａが設けられている。そして、これらまぐさ１０ａの相互間には、まぐさ開口１０ｂが、開口部３の左右方向全長にわたって形成されていることで、このまぐさ開口１０ｂを介して開閉体３０の出し入れが行われる。
【００３５】
（構成−ガイドレール）
図１に戻り、ガイドレール２０は、開閉体３０を開口部３の開閉方向（上下方向）に沿って移動するように案内するものである。このガイドレール２０は、例えば横断面形状が略コ字状となるように形成された長尺体であり、図１に示すように、開閉装置１の左右の各端部において、上下方向に略沿う方向で配置されており、躯体２に対して直接的に固定されており、又は下地材（図示省略）を介して間接的に固定されている。
【００３６】
（構成−開閉体）
開閉体３０は、開口部３の開閉を行うものであり、具体的には、巻取軸４０の回転駆動によって閉鎖移動又は開放移動されることで、開閉体３０の状態を全開状態、全閉状態、又は半開状態にすることができる。この開閉体３０は、例えば公知のシャッターカーテンを用いて構成されている。具体的には、図１に示すように、複数のスラット３１を備えており、各スラット３１の上下の両端部に形成された嵌合部（図示省略）を介して複数のスラット３１が相互に嵌合接続されている。また、この開閉体３０の左右方向の両端部の各々は、ガイドレール２０のコ字状の開放端部を介してガイドレール２０の内部に挿入されており、上下方向においてはガイドレール２０の内部をスライド移動可能であり、かつ、前後方向においてはガイドレール２０の外部に脱落しないように規制されている。また、この開閉体３０の下端部には、座板３３が接続されている。この座板３３は、全閉状態において建物の床面９ａと近接し、又は接触するように配置されたものであり、開閉体３０の下端部の左右方向全長にわたって形成されている。
【００３７】
（構成−巻取軸）
巻取軸４０は、開閉体３０を開閉移動させるためのものである（なお、図３では、巻取軸４０の最大巻き径Ｍが図示されている）。この巻取軸４０は、例えば公知の巻取軸等を用いて構成されており、図２、図３に示すように、左右方向に沿って設置されている。また、この巻取軸４０には開閉体３０の上端に連結された連結スラット（図示省略）が接続されており、この巻取軸４０を回転させることで、連結スラットを介して開閉体３０を開閉移動させることができる。
【００３８】
また、図２に示すように、この巻取軸４０には、駆動側フランジ部（図示省略）、及び従動側シャフト部４０ａが設けられている。このうち、駆動側フランジ部は、巻取軸４０と駆動側軸受部４１とを接続するための接続手段であり、略円柱状体にて形成されており、当該駆動側フランジ部の軸方向が左右方向に沿うように配置され、駆動側軸受部４１（具体的には、後述する駆動側軸受部本体）に対して固定具等によって接続されている。従動側シャフト部４０ａは、巻取軸４０と従動側軸受部とを接続するための接続手段であり、長尺な棒状体にて形成されており、図２に示すように、従動側シャフト部４０ａの軸方向が左右方向に沿うように配置され、従動側軸受部に対して回転可能に挿入されている。
【００３９】
（構成−駆動側軸受部）
駆動側軸受部４１は、巻取軸４０を回転可能に支持するための軸受部であり、図３に示すように、駆動側軸受部本体（図示省略）及び巻取軸側スプロケット４２を備えている。
【００４０】
このうち、駆動側軸受部本体は、駆動側軸受部４１の基本構造体であり、例えば公知の駆動軸等を用いて構成されており、駆動側フランジ部に対して固定具等によって接続されていると共に、駆動側軸受板１１に対して嵌合構造等によって回転可能に固定されている。また、巻取軸側スプロケット４２は、開閉機５０からの回転駆動力を伝達部材４３（例えば、環状のローラチェーン等）を介して駆動側軸受部本体に伝達するためのものである。この巻取軸側スプロケット４２は、例えば公知のスプロケット等を用いて構成されており、図３に示すように、駆動側軸受部本体における巻取軸４０側の端部とは反対側の端部（具体的には、駆動側軸受部本体の右端部）又はその近傍に設けられており、駆動側軸受部本体に対して固定具等によって固定されている。
【００４１】
（構成−従動側軸受部）
従動側軸受部は、巻取軸４０を回転可能に支持するためのものである。この従動側軸受部は、例えば従動側シャフト部４０ａを回転可能に接続可能な公知のベアリング部材等を用いて構成され、従動側軸受板１３の巻取軸４０側の側面（具体的には、従動側軸受板１３の左側面）に設けられている。具体的には、従動側シャフト部４０ａを挿入した状態で配置され、従動側軸受板１３に対して固定具等によって固定されている。
【００４２】
（構成−開閉機）
図１に戻り、開閉機５０は、開閉体３０の巻上げ又は巻出しを行うためのものであり、具体的には、手動で巻取軸４０を回転駆動することによって開閉体３０を閉鎖移動又は開放移動させる。この開閉機５０は、例えば公知の手動式の開閉機等を用いて構成され、図１に示すように、収納部１０の外部において、巻取軸４０よりも前方位置であり、且つ駆動側軸受部４１の近傍に設けられている。
【００４３】
また、この開閉機５０は、図２、図３に示すように、入力軸５１、出力軸５２、開閉機側スプロケット５３、開閉機本体５４、及び手動操作部５５を備えている。
【００４４】
このうち、入力軸５１は、連結軸（図示省略）を介して回転駆動力を出力軸５２に伝達するための回転軸である。この入力軸５１は、図２に示すように、当該入力軸５１の一部が開閉機本体５４の右端部から外部に向けて突出するように配置されており、開閉機本体５４に対して回転可能に固定されている。また、出力軸５２は、入力軸５１から連結軸を介して伝達された回転駆動力を巻取軸４０に伝達するためのものである。この出力軸５２は、図２に示すように、当該出力軸５２の一部が開閉機本体５４の左端部から外部に向けて突出するように配置されており、開閉機本体５４に対して回転可能に固定されている。また、開閉機側スプロケット５３は、出力軸５２から伝達された回転駆動力を伝達部材４３を介して巻取軸側スプロケット４２に伝達するためのものであり、図２に示すように、出力軸５２の左端部に固定されている。
【００４５】
また、開閉機本体５４は、開閉機５０の基本構造体であり、接続板５０ａを介して駆動側軸受部４１に対して固定具等によって固定されており、減速部、調速部、及びブレーキ部を備えている（いずれも図示省略）。このうち、減速部は、連結軸を介して出力軸５２の回転速度を減速させるためのものであり、例えば公知の減速機等を用いて構成されている。また、調速部は、連結軸を介して出力軸５２の回転速度を調整するためのものであり、例えば公知の調速機等を用いて構成されている。また、ブレーキ部は、開閉体３０の自重による閉鎖移動を停止するためのブレーキ手段であり、例えば公知のブレーキ手段等を用いて構成されている。
【００４６】
また、手動操作部５５は、ブレーキ部の解放操作を手動で行うための手動操作手段である。この手動操作部５５は、例えばワイヤ式の操作手段を用いて構成されており、図２に示すように、手動操作部５５の一部が開閉機本体５４から外部に露出するように設けられていると共に、手動操作部５５の他の一部がブレーキ部に接続されている。このような手動操作部５５により、手動操作部５５を手動で引張ることでブレーキ部の解放操作を行うことにより、開閉体３０を自重で閉鎖移動させることができる。
【００４７】
（構成−自動閉鎖装置）
自動閉鎖装置は、開閉機５０のブレーキ部を自動で解放させることにより、開閉体３０を自重閉鎖させる自動ブレーキ解放手段であり、例えば公知の自動閉鎖装置等を用いて構成されており、収納部１０の外部に設けられている。ここで、「開閉機５０のブレーキ部を解放させる」とは、開閉機のブレーキ部を開閉機５０の出力軸５２に作用させないことを意味する。具体的には、実施の形態１では、図示しない防災盤からの火災検知信号が入力されると、開閉機５０の解放レバー（図示省略）を図示しない作動部を介して解放操作することにより開閉機５０のブレーキ部を解放させることで、開閉体３０を自重で閉鎖移動させる。
【００４８】
（構成−手動閉鎖装置）
手動閉鎖装置は、開閉機５０のブレーキ部を手動で解放させることにより、開閉体３０を自重閉鎖させる手動ブレーキ解放手段であり、例えば公知の手動閉鎖装置（一例として、押しボタン式の手動閉鎖装置）等を用いて構成されており、収納部１０の外部に設けられている。ここで、「開閉機５０のブレーキ部を解放させる」とは、具体的には、実施の形態１では、手動閉鎖装置を介して第１操作が行われると、開閉機５０の解放レバーを作動部を介して解放操作することにより開閉機５０のブレーキ部を解放させることで、開閉体３０を自重で閉鎖移動させる。また、手動閉鎖装置を介して第２操作が行われると、開閉機５０の解放レバーを解放操作される前の状態に戻すことにより開閉機５０のブレーキ部を作用させることで、開閉体５０の自重による閉鎖移動を停止させる。
【００４９】
（構成−巻上げシステム）
図１に戻り、巻上げシステム６０は、開閉体３０を開閉機５０を介して巻上げるためのシステムであり、図１に示すように、駆動部６１、第１コネクタ部６２、第２コネクタ部６３、第３コネクタ部６４、上限検知部６５、回数検知部６６、コネクタ収納部６７、及び巻上側制御ユニット７０を備えている。
【００５０】
また、この巻上げシステム６０を構成する各部の接続方法については任意であるが、実施の形態１では、以下の通りとなる。すなわち、図１に示すように、第１コネクタ部６２を、第１コネクタ部６２よりも駆動部６１側に位置する配線４（以下、「駆動側配線４」と称する）を介して駆動部６１と電気的に接続している。また、第１コネクタ部６２を、第１コネクタ部６２よりも電源部６９側に位置する配線５（以下、「電源側配線５」と称する）、第２コネクタ部６３、及び第３コネクタ部６４を介して巻上側制御ユニット７０及び電源部６９（図１では、コードリール６８の配線６８ａに接続された電源部６９）と電気的に接続している。具体的には、電源側配線５は、第１コネクタ部６２側に位置する第１電源側配線５ａ（具体的には、巻上側制御ユニット７０又は第２コネクタ部６３から張り出された第１電源側配線５ａ）と、電源部６９側に位置する第２電源側配線５ｂ（具体的には、巻上側制御ユニット７０又は第３コネクタ部６４から張り出された第２電源側配線５ｂ）とを備えており、第１電源側配線５ａ及び第２コネクタ部６３を介して第１コネクタ部６２と巻上側制御ユニット７０とを相互に接続すると共に、第２電源側配線５ｂ及び第３コネクタ部６４を介して巻上側制御ユニット７０とコードリール６８のコネクタ部（図示省略）とを相互に接続している（この場合には、後述するコネクタ収納部６７の蓋部６７ｂは開放されている）。ここで、「電源部６９」とは、駆動部６１に電力を供給する電源手段であり、実施の形態１では、１００Ｖの商用交流電源を用いて構成されているので、他の電源手段に比べて電力を比較的確保しやすくなる。また、上限検知部６５を、配線６（以下、「第１検知側配線６」と称する）を介して駆動部６１と電気的に接続していると共に、回数検知部６６を図示しない配線（以下、「第２検知側配線」と称する）を介して第１コネクタ部６２と電気的に接続している。
【００５１】
以上のような接続により、巻上側制御ユニット７０と、駆動部６１、上限検知部６５、及び回数検知部６６の各々とが相互間で直接又は間接に通信を行うことが可能となる。また、電源部６９からの電力を、巻上側制御ユニット７０、駆動部６１、上限検知部６５、及び回数検知部６６に対して直接又は間接に供給することが可能となる。なお、実施の形態１では、駆動側配線４、第１電源側配線５ａ、第１検知側配線６、及び第２検知側配線は、信号線として機能すると共に、電源線としても機能するものとして説明する。また、第２電源側配線５ｂは、電源線としてのみ機能するものとして説明する。
【００５２】
（構成−巻上げシステム−駆動部）
駆動部６１は、開閉機５０を電動で駆動させるための駆動手段である。この駆動部６１は、例えば公知の駆動手段（一例として、回転軸（図示省略）を備える開閉装置用のモータ等）を用いて構成されており、図１から図３に示すように、収納部１０の外部において開閉機５０の近傍位置に設けられている。
【００５３】
また、この駆動部６１の設置方法については任意であるが、実施の形態１では、以下の通りとなる。すなわち、図２に示すように、開閉機５０の開閉機本体５４に対して固定具によって取り付けられた第１接続部６１ａ（例えば、Ｌ字状の板状体である第１接続部６１ａ）と、駆動部６１に対して固定具によって取り付けられた第２接続部６１ｂ（例えば、Ｌ字状の板状体である第２接続部６１ｂ）とを固定具によって取り付けると共に、第３接続部６１ｃ（例えば、開閉機５０の入力軸５１及び駆動部６１の回転軸の各々と嵌合可能な円筒状の第３接続部６１ｃ）を介して開閉機５０の入力軸５１と駆動部６１の回転軸とを着脱自在に接続することにより、駆動部６１を開閉機５０に対して着脱自在に設置している。ただし、これに限らず、例えば、溶接等によって駆動部６１を開閉機５０に対して着脱不能に設置してもよい。
【００５４】
（構成−巻上げシステム−第１コネクタ部）
図１に戻り、第１コネクタ部６２は、駆動部６１に電力を供給する電源部６９に対して直接又は間接に接続された電源側配線５を着脱自在に接続するためのコネクタである。この第１コネクタ部６２は、例えば公知のコネクタ（一例として、雄コネクタ、雌コネクタ）等を用いて構成されており、開口部３の近傍位置に設けられている。
【００５５】
また、第１コネクタ部６２の設置方法については任意であるが、実施の形態１では、第１コネクタ部６２を、床面９ａに位置する作業者が第１コネクタ部６２と電源側配線５（具体的には、第１電源側配線５ａ）との着脱作業を実施可能となる位置Ｈ１（以下、「作業可能位置Ｈ１」と称する）に設置（配置）している。具体的には、図１に示すように、第１コネクタ部６２を、コネクタ収納部６７の内部に収納していると共に、開口部３の近傍に位置する躯体２の部分のうち床面９ａよりも上方側の部分に対して間接に設置している（取り付けている）。ここで、「作業可能位置Ｈ１」とは、具体的には、収納部１０よりも下方側の位置であり、且つ床面９ａよりも上方側の位置であって、床面９ａに位置する作業者が器具を用いることなく第１コネクタ部６２と電源側配線５とを着脱できる位置であり、例えば、床面９ａから上方に８００ｍｍ程度から１５００ｍｍ程度離れた位置等が該当する。このような設置により、作業者が地上にいながら上記着脱作業を実施でき、従来技術（コネクタをシャッター収納部の内部に配置し、且つコネクタをシャッター収納部の外部において操作部よりも上方位置に配置した技術）に比べて、作業者が収納部１０付近で上記着脱作業を行う必要がなくなることから、上記着脱作業を簡易且つ安全に行うことが可能となる。特に、第１コネクタ部６２を、開口部３の近傍に位置する躯体２の部分のうち床面９ａよりも上方側の部分に対して間接に取り付けているので、上記着脱作業の作業性を維持しながら、第１コネクタ部６２を安定して取り付けることができる。
【００５６】
（構成−巻上げシステム−第２コネクタ部）
第２コネクタ部６３は、第１コネクタ部６２と電気的に接続するためのものである。この第２コネクタ部６３は、例えば第１コネクタ部６２と着脱自在な公知のコネクタ（一例として、雄コネクタ、雌コネクタ）等を用いて構成されており、図１に示すように、第１電源側配線５ａの第１コネクタ部６２側の端部に取り付けられている。
【００５７】
（構成−巻上げシステム−第３コネクタ部）
第３コネクタ部６４は、コードリール６８（又は電源部６９）と電気的に接続するためのものである。この第３コネクタ部６４は、例えばコードリール６８のコネクタ部と着脱自在な公知のコネクタ（一例として、雄コネクタ、雌コネクタ）等を用いて構成されており、図１に示すように、第２電源側配線５ｂの電源部６９側の端部に取り付けられている。
【００５８】
（構成−巻上げシステム−上限検知部）
上限検知部６５は、開閉体３０の下端部が建物の天井９ｂと面一となる位置（以下、「上限位置」と称する）に達しているか否かを検知し、開閉体３０の下端部が上限位置に達したことが検知された場合にその旨を示す上限信号を出力する上限検知手段である。この上限検知部６５は、例えば公知の検知センサ（一例として、カウンター式のリミットスイッチ等）を用いて構成されており、図１に示すように、収納部１０の外部において開閉機５０の近傍位置に設けられている。
【００５９】
（構成−巻上げシステム−回数検知部）
回数検知部６６は、駆動部６１の使用回数を検知し、当該検知した使用回数が閾値を上回った場合にその旨を示す信号（以下、「限界回数信号」と称する）を出力する回数検知手段である。ここで、「駆動部６１の使用回数」とは、実施の形態１では、第１コネクタ部６２、電源側配線５、及び駆動側配線４を介して駆動部６１が通電された回数として説明するが、これに限らず、例えば、第１コネクタ部６２、電源側配線５、及び駆動側配線４を介して駆動部６１が通電された状態において上限検知部６５から上限信号が出力された回数であってもよい。この回数検知部６６は、例えば公知の検知センサ（一例として、駆動部６１の使用回数を表示可能なカウンタ等）を用いて構成されており、図１に示すように、コネクタ収納部６７の内部に設けられている。
【００６０】
（構成−巻上げシステム−コネクタ収納部）
コネクタ収納部６７は、少なくとも第１コネクタ部６２を収納する（実施の形態１では、第１コネクタ部６２及び回数検知部６６を収納する）ためのコネクタ収納手段である。このコネクタ収納部６７は、例えば公知の収納ケース（一例として、開閉式の鋼製の収納ケース）等を用いて構成されており、具体的には、図４に示すように、前端部の少なくとも一部が開放された中空状の本体部６７ａであって、第１コネクタ部６２及び回数検知部６６を収容する本体部６７ａと、本体部６７ａに開閉自在に取り付けられ、且つ本体部６７ａの開放端を塞ぐ蓋部６７ｂと、蓋部６７ｂを施錠する施錠部６７ｃとを備えている。
【００６１】
また、コネクタ収納部６７の設置方法については任意であるが、実施の形態１では、第１コネクタ部６２及び回数検知部６６を収納可能な位置に設置しており、具体的には、図１に示すように、躯体２の部分のうち作業可能位置Ｈ１及びその近傍に対応する部分に配置し、躯体２（又はガイドレール２０）に対して固定具等によって取り付けている。
【００６２】
このようなコネクタ収納部６７の構成により、コネクタ収納部６７に第１コネクタ部６２を収納できる。よって、第１コネクタ部６２が外部から露出することを防止できることから、例えば、第１コネクタ部６２を常設する場合において第三者によって第１コネクタ部６２が不用意に触れられることを回避しやすくなる。
【００６３】
（構成−巻上げシステム−巻上側制御ユニット）
図１に戻り、巻上側制御ユニット７０は、巻上げシステム６０を制御するためのユニットである。この巻上側制御ユニット７０は、図１に示すように、収納部１０の外部に設けられており、巻上側操作部７１、巻上側入力部（図示省略）、巻上側出力部（図示省略）、巻上側電力供給部（図示省略）、及び巻上側制御部（図示省略）を備えている。なお、これら巻上側制御ユニット７０を構成する各部は、図示しない配線（具体的には、電源側配線５及び駆動側配線４とは異なる他の配線）を介して相互に電気的に接続されている（つまり、巻上側操作部７１は、上記他の配線を介して巻上側制御部と電気的に接続されている）。
【００６４】
（構成−巻上げシステム−巻上側制御ユニット−巻上側操作部）
巻上側操作部７１は、巻上げシステム６０に対する操作入力を受け付ける操作手段である。この巻上側操作部７１は、例えば公知の操作手段（一例として、押しボタン式スイッチ等）を用いて構成されており、図１に示すように、回転方向切替スイッチ７１ａ、起動スイッチ７１ｂ、及び停止スイッチ７１ｃを備えている。
【００６５】
回転方向切替スイッチ７１ａは、駆動部６１の回転軸の回転方向の切り替えを指示するスイッチであり、当該回転方向切替スイッチ７１ａが操作された場合には、その指示を示す切替信号を出力する。ここで、回転方向切替スイッチ７１ａを設けた理由は、以下の通りである。すなわち、同一の開閉機５０を左右勝手違いに設置することがあり、このような開閉機５０の設置方向の違いに伴って開閉体３０を巻上げるための回転方向も異なってくるため、この回転方向に合わせて回転軸の回転方向を切り替える必要が生じる。このような切り替えを可能とするため、回転方向切替スイッチ７１ａが設けられている。
【００６６】
起動スイッチ７１ｂは、駆動部６１に対して開閉体３０の巻上げを指示するスイッチであり、当該起動スイッチ７１ｂが操作された場合には、その指示を示す巻上信号を出力する。
【００６７】
停止スイッチ７１ｃは、駆動部６１に対して開閉体３０の巻上げの停止を指示するスイッチであり、当該停止スイッチ７１ｃが操作された場合には、その指示を示す停止信号を出力する。
【００６８】
また、巻上側操作部７１の設置方法については任意であるが、実施の形態１では、作業者が床面９ａに立った状態で巻上側操作部７１の操作を行うことが可能な位置Ｈ２（以下、「操作可能位置Ｈ２」と称する）に設置しており、具体的には、開閉体３０、ガイドレール２０、又は躯体２に対して着脱自在に設置する。ここで、「操作可能位置Ｈ２」とは、具体的には、図１に示すように、収納部１０よりも下方側の位置であり、且つ床面９ａよりも上方側の位置であって、床面９ａに位置する作業者が器具を用いることなく巻上側操作部７１の操作を行うことが可能な位置であり、例えば、床面９ａから上方に８００ｍｍ程度から１５００ｍｍ程度離れた位置等が該当する。このような設置により、作業者が地上にいながら巻上側操作部７１を介して駆動部６１を操作することができ、巻上側操作部７１を収納部１０の近傍に設置した場合に比べて、作業者が巻上側操作部７１の操作を簡易且つ安全に行うことが可能となる。ただし、これに限らず、例えば、巻上側操作部７１を上記所定の設置対象に設置せずに、作業者が巻上側操作部７１の操作時に手にとるようにしてもよい。
【００６９】
また、巻上側操作部７１による巻上信号の出力方法については任意であるが、実施の形態１では、起動スイッチ７１ｂが操作された後に巻上信号を出力し、その後当該操作が継続されていなくても巻上信号を継続して出力する（いわゆる、「自己保持操作」に応じた巻上信号の出力を行う）。これにより、作業者が起動スイッチ７１ｂの操作のために巻上側操作部７１に張り付く必要がなくなるため、作業者が別の作業を行いながら開閉体３０の巻上げを行うことが可能となる。ただし、これに限らず、例えば、起動スイッチ７１ｂが操作された後に巻上信号を出力し、その後当該操作が継続して行われている間のみ巻上信号を継続して出力してもよい（いわゆる、「押切操作」に応じた巻上信号の出力を行ってもよい）。
【００７０】
（構成−巻上げシステム−巻上側制御ユニット−巻上側入力部）
巻上側入力部は、巻上信号、停止信号、切替信号、上限信号、及び限界回数信号の入力を受け付ける入力手段であり、例えば公知の入力端子等を用いて構成されている。
【００７１】
（構成−巻上げシステム−巻上側制御ユニット−巻上側出力部）
巻上側出力部は、巻上側制御部から出力された信号を駆動部６１に出力する出力手段であり、例えば公知の出力端子等を用いて構成されている。
【００７２】
（構成−巻上げシステム−巻上側制御ユニット−巻上側電力供給部）
巻上側電力供給部は、第２電源側配線５ｂ及びコードリール６８の配線６８ａを介して電源部６９から供給された電力を巻上側制御ユニット７０の各部に供給すると共に、駆動部６１に供給するための電力供給手段である。
【００７３】
（構成−巻上げシステム−巻上側制御ユニット−巻上側制御部）
巻上側制御部は、巻上側制御ユニット７０の各部を制御すると共に、操作手段による巻上信号の入力の有無に基づいて駆動部６１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである（なお、後述する他の制御部の構成についても同様とする）。なお、この巻上側制御部によって実行される処理の詳細については後述する。
【００７４】
（構成−巻上げシステム−その他の構成）
また、巻上げシステム６０の具体的な構成については任意であるが、実施の形態１では、第１電源側配線５ａを介して巻上側制御部と第１コネクタ部６２とが相互に接続されていると共に、第２電源側配線５ｂを介して巻上側制御部と電源部６９とが相互に接続されていることにより、電源側配線５、巻上側操作部７１、及び巻上側制御部が搬送可能に構成されている。具体的には、電源側配線５については、上述したように、第２コネクタ部６３を介して第１コネクタ部６２と着脱自在に接続されている。また、巻上側操作部７１及び巻上側制御部については、これらを含む巻上側制御ユニット７０が、開閉体３０、ガイドレール２０、又は躯体２に対して着脱自在に設置されている。これにより、電源側配線５、巻上側操作部７１、及び巻上側制御部をまとめて搬送することができる。よって、例えば、建物において開閉体３０、開閉機５０、駆動部６１、第１コネクタ部６２、及び駆動側配線４を備える開閉装置１が複数設置されている場合に、電源側配線５、巻上側操作部７１、及び巻上側制御部からなるセットを１つ用意しておくだけで、このセットを用いて各開閉装置１の開閉体３０の巻上げを行うことができ、巻上げシステム６０の設置コストの低減化を図りやすくなる。
【００７５】
このような巻上げシステム６０により、従来技術（コネクタをシャッター収納部の内部に配置し、且つコネクタをシャッター収納部の外部において操作部よりも上方位置に配置した技術）に比べて、巻上げシステム６０の使用性を高めることが可能となる。
【００７６】
（制御処理）
次に、このように構成された巻上げシステム６０によって実行される制御処理について説明する。以下の説明では、図５に示す制御処理の説明ではステップを「Ｓ」と略記する。制御処理は、巻上げシステム６０を制御するための処理である。この制御処理を実行するタイミングは任意であるが、実施の形態１では、巻上げシステム６０の駆動部６１、上限検知部６５、回数検知部６６、及び巻上側制御ユニット７０の電源が投入された後に起動されるものとして説明する。
【００７７】
また、この制御処理の前提については、実施の形態１では、以下の通りとなる。すなわち、制御処理は、開閉装置１の動作確認作業において、開口部３の状態が全開状態から全閉状態になるように、手動閉鎖装置用操作部の第１操作が行われたことで手動閉鎖装置による開閉体５０の自重閉鎖移動が行われた後に、開口部３の状態を全開状態に戻す場合に実行されるものとする（すなわち、巻上げシステム６０の巻上側操作部７１の操作が行われることで駆動部６１を用いた開閉体５０の巻上げが行われるものとする）。このことから、開口部３の状態は、全閉状態であるものとする。また、駆動部６１の回転方向については、開閉体３０を巻上げることが可能な回転方向となるように、巻上側操作部７１の回転方向切替スイッチ７１ａを介してあらかじめ切り替えられているものとする。
【００７８】
制御処理が起動されると、図５に示すように、ＳＡ１において巻上側制御ユニット７０の巻上側制御部は、巻上側入力部によって巻上信号の入力が受け付けられたか否かを判定する。そして、巻上側制御ユニット７０の巻上側制御部は、巻上信号の入力が受け付けられたと判定されるまで待機し（ＳＡ１、Ｎｏ）、巻上信号の入力が受け付けられたと判定された場合（ＳＡ１、Ｙｅｓ）にはＳＡ２に移行する。
【００７９】
ＳＡ２において巻上側制御ユニット７０の巻上側制御部は、巻上側入力部によって停止信号、上限信号、又は限界回数信号の入力が受け付けられたか否かを判定する。そして、巻上側制御ユニット７０の巻上側制御部は、停止信号、上限信号、又は限界回数信号の入力が受け付けられていないと判定された場合（ＳＡ２、Ｎｏ）にはＳＡ３に移行し、停止信号、上限信号、又は限界回数信号の入力が受け付けられたと判定された場合（ＳＡ２、Ｙｅｓ）にはＳＡ５に移行する。
【００８０】
ＳＡ３において巻上側制御ユニット７０の巻上側制御部は、ＳＡ１による巻上信号の入力の受け付けが継続しているか否かを判定する。そして、巻上側制御ユニット７０の巻上側制御部は、ＳＡ１による巻上信号の入力の受け付けが継続していると判定された場合（ＳＡ３、Ｙｅｓ）にはＳＡ４に移行し、ＳＡ１による巻上信号の入力の受け付けが継続していると判定されなかった場合（ＳＡ３、Ｎｏ）にはＳＡ５に移行する。
【００８１】
ＳＡ４において巻上側制御ユニット７０の巻上側制御部は、開閉体３０を巻上げるように駆動部６１を駆動させる。その後、巻上側制御ユニット７０の巻上側制御部は、ＳＡ２に移行して、ＳＡ２において停止信号、上限信号、又は限界回数信号の入力が受け付けられるまでの間、又はＳＡ３において巻上信号の入力の受け付けが継続しなくなるまでの間、ＳＡ２からＳＡ４の処理を繰り返す（すなわち、上記駆動部６１の駆動を継続して実行する）。なお、この駆動部６１の駆動方法については任意であるが、実施の形態１では、ＳＡ４の処理が実行されてから後述するＳＡ５が実行されるまでの間、駆動部６１の駆動を継続する。
【００８２】
ＳＡ５において巻上側制御ユニット７０の巻上側制御部は、駆動部６１の駆動を停止させ、その後ＳＡ１に移行して、ＳＡ１からＳＡ６の処理を繰り返す。なお、ＳＡ５の処理前にＳＡ４の処理が行われていない場合（すなわち、駆動部６１が停止している場合）には、ＳＡ５の処理を行うことなく、ＳＡ１に移行してもよい。
【００８３】
以上のような制御処理により、巻上側入力部による巻上信号の入力の有無に基づいて駆動部６１を制御することができ、作業者の状況に応じたタイミングで開閉体３０の巻上げを行うことができる。
【００８４】
（効果）
このように実施の形態１によれば、収納部１０の外部に設けられ、且つ駆動部６１に対して直接又は間接に接続された駆動側配線４に取り付けられた第１コネクタ部６２であって、駆動部６１に電力を供給する電源部６９に対して直接又は間接に接続された電源側配線５を着脱自在に接続するための第１コネクタ部６２を備え、第１コネクタ部６２を、建物の床面９ａに位置する作業者が当該第１コネクタ部６２と電源側配線５との着脱作業を実施可能となる位置に配置したので、作業者が地上にいながら上記着脱作業を実施でき、従来技術（コネクタをシャッター収納部の内部に配置し、且つコネクタをシャッター収納部の外部において操作部よりも上方位置に配置した技術）に比べて、作業者が収納部１０付近で上記着脱作業を行う必要がなくなることから、上記着脱作業を簡易且つ安全に行うことが可能となる。
【００８５】
また、第１コネクタ部６２を、開口部３の近傍に位置する建物の躯体２の部分のうち床面９ａよりも上方側の部分に対して直接又は間接に取り付けたので、上記着脱作業の作業性を維持しながら、第１コネクタ部６２を安定して取り付けることができる。
【００８６】
また、第１コネクタ部６２を収納するためのコネクタ収納部６７を備えるので、コネクタ収納部６７に第１コネクタ部６２を収納できる。よって、第１コネクタ部６２が外部から露出することを防止できることから、例えば、第１コネクタ部６２を常設する場合において第三者によってコネクタが不用意に触れられることを回避しやすくなる。
【００８７】
また、巻上側操作部７１と、巻上側操作部７１と電気的に接続された巻上側制御部と、を備え、第１電源側配線５ａを介して巻上側制御部と第１コネクタ部６２とを相互に接続すると共に、第２電源側配線５ｂを介して巻上側制御部と電源部６９とを相互に接続することにより、電源側配線５、巻上側操作部７１、及び巻上側制御部を搬送可能としたので、電源側配線５、巻上側操作部７１、及び巻上側制御部をまとめて搬送することができる。よって、例えば、建物において開閉体３０、開閉機５０、駆動部６１、第１コネクタ部６２、及び駆動側配線４を備える開閉装置１が複数設置されている場合に、電源側配線５、巻上側操作部７１、及び巻上側制御部からなるセットを１つ用意しておくだけで、このセットを用いて各開閉装置１の開閉体３０の巻上げを行うことができ、巻上げシステム６０の設置コストの低減化を図りやすくなる。
【００８８】
また、電源部６９が、１００Ｖの商用交流電源であるので、他の電源手段に比べて電力を比較的確保しやすくなるため、巻上げシステム６０の使用性を高めやすくなる。
【００８９】
〔実施の形態２〕
次に、実施の形態２に係る巻上げシステムについて説明する。この実施の形態２は、手動式のシャッター装置であり、駆動側配線に接続された巻上側制御部を備える形態である。ただし、実施の形態２に係る構成及び処理は、特に説明する場合を除いては実施の形態１に係る構成及び処理と同じであるものとし、同一の構成及び処理については、実施の形態１で使用したものと同一の名称又は符号を必要に応じて用いることで、その説明を省略する。
【００９０】
（構成）
最初に、実施の形態２に係る開閉装置の構成について説明する。実施の形態２に係る開閉装置１００は、実施の形態１に係る開閉装置１とほぼ同様に構成されている。ただし、巻上げシステム６０の構成の詳細については、下記に示す工夫が施されている。
【００９１】
（構成−巻上げシステム）
次に、巻上げシステム６０の構成の詳細について説明する。巻上げシステム６０は、図６に示すように、駆動部６１、第１コネクタ部６２、第２コネクタ部６３、第３コネクタ部６４、上限検知部６５、回数検知部６６、巻上側操作部７１、コネクタ収納部６７、及び巻上側制御ユニット７０を備えている。このうち、巻上側制御ユニット７０は、図６に示すように、収納部１０の外部に設けられており、巻上側入力部、巻上側出力部、巻上側電力供給部、及び巻上側制御部を備えている（いずれも図示省略）。
【００９２】
また、この巻上げシステム６０を構成する各部の接続方法については任意であるが、実施の形態２では、以下の通りとなる。すなわち、図６に示すように、第１コネクタ部６２を、駆動側配線４を介して駆動部６１及び巻上側制御ユニット７０と電気的に接続している。具体的には、駆動側配線４は、第１コネクタ部６２側に位置する第１駆動側配線４ａ（具体的には、巻上側制御ユニット７０又は第１コネクタ部６２から張り出された第１駆動側配線４ａ）と、駆動部６１側に位置する第２駆動側配線４ｂ（具体的には、駆動部６１又は巻上側制御ユニット７０から張り出された第２電源側配線５ｂ）とを備えており、第１駆動側配線４ａを介して第１コネクタ部６２と巻上側制御ユニット７０とを相互に接続すると共に、第２駆動側配線４ｂを介して巻上側制御ユニット７０と駆動部６１とを相互に接続している。また、第１コネクタ部６２を、電源側配線５、第２コネクタ部６３、第３コネクタ部６４、及びコードリール６８を介して電源部６９と電気的に接続している。また、上限検知部６５を、第１検知側配線６を介して駆動部６１と電気的に接続していると共に、巻上側操作部７１及び回数検知部６６を第２検知側配線を介して第１コネクタ部６２と電気的に接続している。
【００９３】
以上のような接続により、巻上側制御ユニット７０と、駆動部６１、上限検知部６５、回数検知部６６、及び巻上側操作部７１の各々とが相互間で直接又は間接に通信を行うことが可能となる。また、電源部６９からの電力を、巻上側制御ユニット７０、駆動部６１、上限検知部６５、回数検知部６６、及び巻上側操作部７１に対して直接又は間接に供給することが可能となる。なお、実施の形態２では、第１駆動側配線４ａ、第２駆動側配線４ｂ、第１検知側配線６、及び第２検知側配線は、信号線として機能すると共に、電源線としても機能するものとして説明する。また、電源側配線５は、電源線としてのみ機能するものとして説明する。
【００９４】
（構成−巻上げシステム−巻上側操作部）
巻上側操作部７１は、図６に示すように、収納部１０の外部に設けられており、起動スイッチ７１ｂを備えている。
【００９５】
また、巻上側操作部７１による巻上信号の出力方法については任意であるが、実施の形態２では、上述した押切操作に応じた巻上信号の出力を行う。これにより、停止スイッチ７１ｃを巻上側操作部７１に設けることなく、作業者による起動スイッチ７１ｂの操作の仕方によって開閉体３０の巻上げを実行し、且つ中断することができ、巻上側操作部７１の構成を簡素化できる。ただし、これに限らず、例えば、上述した自己保持操作に応じた巻上信号の出力を行ってもよい。
【００９６】
（構成−巻上げシステム−その他の構成）
また、巻上げシステム６０の具体的な構成については任意であるが、実施の形態２では、第１駆動側配線４ａを介して巻上側制御部と第１コネクタ部６２とを相互に接続すると共に、第２駆動側配線４ｂを介して巻上側制御部と駆動部６１とを相互に接続することにより、巻上側操作部７１及び巻上側制御部を躯体２又は収納部１０に設置可能となるように構成されている。具体的には、図６、図７に示すように、巻上側操作部７１については、コネクタ収納部６７の内部において操作可能位置Ｈ２に設置されている。この場合には、コネクタ収納部６７は、第１コネクタ部６２、回数検知部６６、及び巻上側操作部７１を収納可能な形状及び大きさにて構成される。また、巻上側制御部については、これを含む巻上側制御ユニット７０がコネクタ収納部６７の内部に収納されている。これにより、駆動側配線４、巻上側操作部７１、及び巻上側制御部をまとめて躯体２又は収納部１０に設置することができる。よって、上記着脱作業を行う際に巻上側制御部及び巻上側操作部７１を搬送する必要がなくなるため、電源側配線５を用いて巻上側制御部及び巻上側操作部７１を接続する場合に比べて、上記着脱作業の効率化を図りやすくなる。
【００９７】
（制御処理）
次に、このように構成された巻上げシステム６０によって実行される制御処理について説明する。実施の形態２に係る制御処理は、実施の形態１に係る制御処理とほぼ同様であるので、その処理の説明を省略する。
【００９８】
（効果）
このように実施の形態２によれば、収納部１０の外部に設けられ、且つ第１コネクタ部６２に電気的に接続された巻上側操作部７１と、収納部１０の外部又は内部に設けられた巻上側制御部と、を備え、第１駆動側配線４ａを介して巻上側制御部と第１コネクタ部６２とを相互に接続すると共に、第２駆動側配線４ｂを介して巻上側制御部と駆動部６１とを相互に接続することにより、巻上側操作部７１及び巻上側制御部を建物の躯体２又は収納部１０に設置可能としたので、駆動側配線４、巻上側操作部７１、及び巻上側制御部をまとめて躯体２又は収納部１０に設置することができる。よって、上記着脱作業を行う際に巻上側制御部及び巻上側操作部７１を搬送する必要がなくなるため、電源側配線５を用いて巻上側制御部及び巻上側操作部７１を接続する場合に比べて、上記着脱作業の効率化を図りやすくなる。
【００９９】
〔実施の形態３〕
次に、実施の形態３に係る巻上げシステムについて説明する。この実施の形態３は、電動式のシャッター装置であり、駆動側配線に接続された巻上側制御部を備える形態である。ただし、実施の形態３に係る構成及び処理は、特に説明する場合を除いては実施の形態２に係る構成及び処理と同じであるものとし、同一の構成及び処理については、実施の形態２で使用したものと同一の名称又は符号を必要に応じて用いることで、その説明を省略する。
【０１００】
（構成）
最初に、実施の形態３に係る開閉装置の構成について説明する。実施の形態３に係る開閉装置２００は、図８に示すように、概略的に、収納部１０、ガイドレール２０、開閉体３０、巻取軸４０、駆動側軸受部４１、従動側軸受部、開閉機５０、自動閉鎖装置、手動閉鎖装置２１０、上下限検知部８１、開閉側操作部８２、連動中継器（図示省略）、開閉側制御ユニット９０、及び巻上げシステム６０を備えている。
【０１０１】
（構成−開閉機）
開閉機５０は、電動で巻取軸４０を回転駆動することによって開閉体３０を閉鎖移動又は開放移動させるものである。この開閉機５０は、例えば公知の電動式の開閉機等を用いて構成され、図８に示すように、入力軸５１、出力軸５２、開閉機側スプロケット５３、開閉機本体５４、及び手動操作部５５を備えており、この開閉機本体５４は、減速部、調速部、ブレーキ部、及び開閉側駆動部を備えている（いずれも図示省略）。このうち、開閉側駆動部は、出力軸５２を電動で回転させるためのものであり、例えば公知の駆動手段（一例として、モータ等）を用いて構成されている。
【０１０２】
（構成−自動閉鎖装置）
自動閉鎖装置の具体的な動作については任意であるが、実施の形態３では、以下の通りとなる。すなわち、まず、連動中継器が防災盤から火災信号を受信することで連動中継器から図示しない配線を介して制御信号が受信されると、当該制御信号に基づいて開閉機５０の解放レバーを解放操作することにより開閉機５０のブレーキ部を解放させることで、開閉体３０を自重で閉鎖移動させる。その後、連動中継器が防災盤から復旧信号を受信することで連動中継器から配線を介して制御信号が受信すると、当該制御信号に基づいて開閉機５０の解放レバーを解放操作される前の状態に戻すことにより開閉機５０のブレーキ部を作用させる。
【０１０３】
（構成−手動閉鎖装置）
手動閉鎖装置２１０は、図８に示すように、収納部１０の外部において開口部３の近傍位置に設けられており、具体的には、躯体２と当接し、又はガイドレール２０内に収容されるように配置され、躯体２又はガイドレール２０に対して固定されていると共に、配線２０１を介して連動中継器と電気的に接続されている。また、この手動閉鎖装置２１０は、例えば、公知の操作手段（一例として、押しボタン式スイッチ等）を用いて構成されており、具体的には、開閉体３０を自重で閉鎖移動させるための自重閉鎖制御の操作入力を受け付ける非常ボタン、及び後述する連動中継器によって火災信号又は自重閉鎖信号の入力が受け付けられた後に、開閉装置２００を火災信号の入力が受け付けられる前の状態に復旧させるため復旧制御の操作入力を受け付ける復旧ボタンを備えている（いずれも図示省略）。
【０１０４】
また、手動閉鎖装置２１０の具体的な動作については任意であるが、実施の形態３では、以下の通りとなる。すなわち、まず、非常ボタンがユーザによって押圧されると、自重閉鎖制御信号を連動中継器を介して自動閉鎖装置に出力する。これにより、上述した自動閉鎖装置によって開閉機５０のブレーキ部の解放操作が行われることで、開閉体３０を自重で閉鎖移動させることが可能となる。その後、復旧ボタンがユーザによって押圧されると、復旧制御信号を連動中継器を介して自動閉鎖装置に出力する。これにより、上述した自動閉鎖装置によって開閉機５０のブレーキ部の解放操作される前の状態に戻す操作が行われる。なお、実施の形態３では、手動閉鎖装置２１０は、連動中継器と有線で通信するものとして説明するが、これに限らず、例えば、連動中継器と無線で通信するものであってもよく、これら有線式及び無線式の手動閉鎖装置２１０の両方を設置してもよい（なお、開閉側操作部８２についても同様とする）。
【０１０５】
（構成−上下限検知部）
上下限検知部８１は、開閉体３０の下端部が上限位置に達しているか否かを検知し、開閉体３０の下端部が上限位置に達したことが検知された場合に上限信号を出力すると共に、開閉体３０の下端部が、建物の床面９ａ近傍に設定された位置（例えば、床面９ａから所定距離（数ｃｍ）だけ上方側に設定された位置等。以下、「下限位置」と称する。）に達しているか否かを検出し、開閉体３０の下端部が下限位置に達したことが検知された場合にその旨を示す下限信号を出力する上下限検知手段である。この上下限検知部８１は、例えばカウンター式のリミットスイッチ等の公知の検知センサを用いて構成されており、図８に示すように、開閉機５０の近傍位置に設置されており、開閉機５０に対して固定具等によって接続されている。なお、実施の形態３では、この上下限検知部８１は、第１検知側配線６を介して駆動部６１と電気的に接続されているものとする。
【０１０６】
（構成−開閉側操作部）
開閉側操作部８２は、開閉体３０の閉鎖移動又は開放移動に関する操作入力を受け付ける開閉側操作手段であり、図８に示すように、収納部１０の外部において開口部３の近傍位置に設けられており、具体的には、躯体２と当接し、又はガイドレール２０内に収容されるように配置され、躯体２又はガイドレール２０に対して固定されている。また、この開閉側操作部８２は、例えば、公知のシャッター装置用の操作手段（一例として、押しボタン式スイッチ等）を用いて構成されており、具体的には、開閉体３０を電動で開放移動させる開放ボタン、電動で閉鎖移動させる閉鎖ボタン、及び電動による閉鎖移動又は開放移動を停止させる停止ボタンを備えている（いずれも図示省略）。これら開放ボタン、閉鎖ボタン、又は停止ボタンがユーザによって押圧された場合に、当該押圧されたボタンに応じた操作信号（すなわち、開放信号、閉鎖信号、停止信号）を連動中継器及び開閉側制御ユニット９０を介して開閉機５０に出力することで、開閉機５０によって開閉体３０が電動で閉鎖移動又は開放移動させたり、あるいは開閉体３０の閉鎖移動又は開放移動を電動で停止させることができる。
【０１０７】
（構成−連動中継器）
連動中継器は、開閉装置２００の各部を相互に連動させるものである。この連動中継器は、例えば公知の開閉装置用の連動中継器（一例として、バッテリ等の電源部を有する連動中継器）を用いて構成されており、開閉機５０、自動閉鎖装置、手動閉鎖装置２１０、開閉側操作部８２、及び開閉側制御ユニット９０と図示しない配線を介して電気的に接続されている。なお、実施の形態３では、建物の停電時においては、連動中継器から自動閉鎖装置及び手動閉鎖装置２１０に対して電力が供給されることで、開閉体３０を自重で閉鎖移動させることを可能にしている。
【０１０８】
（構成−開閉側制御ユニット）
開閉側制御ユニット９０は、開閉機５０によって開閉体３０の開閉制御を行うためのユニットである。この開閉側制御ユニット９０は、図８に示すように、収納部１０の外部に設けられ、且つ開閉機５０、上下限検知部８１、及び開閉側操作部８２と配線７（以下、「第１開閉側配線７」と称する。一部図示省略する。）を介して電気的に接続されており、開閉側入力部、開閉側出力部、開閉側電源部、開閉側制御部、及び開閉側記憶部を備えている（いずれも図示省略）。
【０１０９】
（構成−開閉側制御ユニット−開閉側入力部、開閉側出力部、開閉側電源部）
開閉側入力部は、操作信号、上限信号、又は下限信号の入力を受け付ける入力手段であり、例えば公知の入力端子等を用いて構成されている。開閉側出力部は、信号を開閉機５０に出力する出力手段であり、例えば公知の出力端子等を用いて構成されている。開閉側電源部は、図示しない商用電源又は電池（例えば、バッテリ等）から供給された電力を、開閉側制御ユニット９０の各部に供給すると共に、上下限検知部８１及び開閉側操作部８２にも供給するものである。
【０１１０】
（構成−開閉側制御ユニット−開閉側制御部、開閉側記憶部）
開閉側制御部は、開閉側制御ユニット９０の各部を制御する第１制御手段である。なお、実施の形態３では、操作信号の入力に基づいた開閉側制御部の制御によって開閉体３０の閉鎖移動又は開放移動が行われている場合には、開閉側制御部は、その旨を示す信号（以下、「開閉制御信号」と称する）を開閉側出力部を介して巻上側制御ユニット７０に対して出力するものとする。開閉側記憶部は、開閉側制御ユニット９０の動作に必要なプログラム及び各種のデータ（例えば、制御位置情報、後述する閉鎖方向側距離情報、後述する開放方向側距離情報等）を記憶する記憶手段であり、書き換え可能な公知の記録媒体を用いて構成され、例えばフラッシュメモリ等の不揮発性記録媒体を用いることができる。
【０１１１】
（構成−巻上げシステム）
巻上げシステム６０は、図８に示すように、駆動部６１、第１コネクタ部６２、第２コネクタ部６３、第３コネクタ部６４、回数検知部６６、巻上側操作部７１、コネクタ収納部６７、及び巻上側制御ユニット７０を備えている。このうち、第１コネクタ部６２は、図８に示すように、電源側配線５、第２コネクタ部６３、及び第３コネクタ部６４を介して電源部６９（具体的には、バッテリ、発電機等）と電気的に接続されている。また、巻上側制御ユニット７０は、図８に示すように、収納部１０の外部に設けられ、且つ開閉側制御ユニット９０と配線８（以下、「第２開閉側配線８」と称する）を介して電気的に接続されており、巻上側入力部、巻上側出力部、巻上側電力供給部、及び巻上側制御部を備えている。なお、上述した「巻上側制御部」は、特許請求の範囲における「制御手段」及び「第２制御手段」に対応する。また、この巻上側制御部によって実行される処理の詳細については後述する。
【０１１２】
（制御処理）
次に、このように構成された巻上げシステム６０によって実行される制御処理について説明する。この制御処理を実行するタイミングは任意であるが、実施の形態３では、開閉機５０、上下限検知部８１、開閉側操作部８２、開閉側制御ユニット９０、並びに巻上げシステム６０の駆動部６１、回数検知部６６、及び巻上側制御ユニット７０の電源が投入された後に起動されるものとして説明する。また、この制御処理の前提については、実施の形態３では、全開状態において、建物で停電が起きてから連動中継器が防災盤から火災信号を受信したことにより（又は開閉側操作部８２から自重閉鎖制御信号を受信したことにより）開閉体３０を自重で閉鎖移動させ、その後開口部３の状態を全開状態に戻す場合に実行されるものとする（すなわち、巻上げシステム６０の巻上側操作部７１の操作が行われることで駆動部６１を用いた開閉体５０の巻上げが行われるものとする）。ただし、これに限らず、例えば、全閉状態において建物で停電が起きている際に、開口部３の状態を全開状態に戻す場合に実行されてもよい。
【０１１３】
制御処理が起動されると、図９に示すように、ＳＢ１において巻上側制御ユニット７０の巻上側制御部は、巻上側入力部によって開閉制御信号の入力が受け付けられたか否かを判定する。そして、巻上側制御ユニット７０の巻上側制御部は、開閉制御信号の入力が受け付けられていないと判定されるまで待機し（ＳＢ１、Ｙｅｓ）、開閉制御信号の入力が受け付けられていないと判定された場合（ＳＢ１、Ｎｏ）にはＳＢ２に移行する。このような処理により、開閉側制御ユニット９０の開閉側制御部による開閉機５０の制御が行われている間には後述するＳＢ２からＳＢ７の処理を実行できないことから、開閉側制御部による開閉機５０の制御と巻上側制御部による駆動部６１の制御とが同時に行われることで開閉機５０又は駆動部６１が故障することを回避できる。
【０１１４】
ＳＢ２において巻上側制御ユニット７０の巻上側制御部は、巻上側入力部によって巻上信号の入力が受け付けられたか否かを判定する。そして、巻上側制御ユニット７０の巻上側制御部は、巻上信号の入力が受け付けられたと判定されなかった場合（ＳＢ２、Ｎｏ）にはＳＢ１に移行し、巻上信号の入力が受け付けられたと判定された場合（ＳＢ２、Ｙｅｓ）にはＳＢ３に移行する。
【０１１５】
ＳＢ３において巻上側制御ユニット７０の巻上側制御部は、巻上側入力部によって停止信号、上限信号、又は限界回数信号の入力が受け付けられたか否かを判定する。そして、巻上側制御ユニット７０の巻上側制御部は、停止信号、上限信号、又は限界回数信号の入力が受け付けられていないと判定された場合（ＳＢ３、Ｎｏ）にはＳＢ４に移行し、停止信号、上限信号、又は限界回数信号の入力が受け付けられたと判定された場合（ＳＢ３、Ｙｅｓ）にはＳＢ７に移行する。
【０１１６】
ＳＢ４において巻上側制御ユニット７０の巻上側制御部は、ＳＢ２による巻上信号の入力の受け付けが継続しているか否かを判定する。そして、巻上側制御ユニット７０の巻上側制御部は、ＳＢ２による巻上信号の入力の受け付けが継続していると判定された場合（ＳＢ４、Ｙｅｓ）にはＳＢ５に移行し、ＳＢ２による巻上信号の入力の受け付けが継続していると判定されなかった場合（ＳＢ４、Ｎｏ）にはＳＢ７に移行する。
【０１１７】
ＳＢ５において巻上側制御ユニット７０の巻上側制御部は、開閉側制御部による開閉機５０の制御を中止する旨を指示する信号（以下、「中止信号」と称する）を巻上側出力部を介して開閉側制御ユニット９０に対して出力する。この中止信号の出力方法については任意であるが、実施の形態３では、ＳＢ５の処理が実行されてから後述するＳＢ７が実行されるまでの間、連続的又は断続的に出力する。これにより、巻上側制御部が巻上信号の入力が受け付けられている場合には中止信号を開閉側制御部に対して出力できることから、開閉側制御部が当該中止信号に基づいて開閉機５０の制御を中止させることができる。よって、中止信号の出力を行わない場合に比べて、開閉側制御部による開閉機５０の制御と巻上側制御部による駆動部６１の制御とが同時に行われることで開閉機５０又は駆動部６１が故障することを回避できる。
【０１１８】
ＳＢ６において巻上側制御ユニット７０の巻上側制御部は、開閉体３０を巻上げるように駆動部６１を駆動させる。その後、巻上側制御ユニット７０の巻上側制御部は、ＳＢ３に移行して、ＳＢ３において停止信号、上限信号、又は限界回数信号の入力が受け付けられるまでの間、又はＳＢ４において巻上信号の入力の受け付けが継続しなくなるまでの間、ＳＢ３からＳＢ６の処理を繰り返す（すなわち、上記駆動部６１の駆動を継続して実行する）。
【０１１９】
ＳＢ７において巻上側制御ユニット７０の巻上側制御部は、駆動部６１の駆動を停止させると共に、中止信号の出力を停止させる。その後、ＳＢ１に移行し、ＳＢ１からＳＢ７の処理を繰り返す。なお、ＳＢ７の処理前にＳＢ５及びＳＢ６の処理が行われていない場合には、ＳＢ７の処理を行うことなく、ＳＢ１に移行してもよい。
【０１２０】
以上のような制御処理により、開閉側制御部による開閉機５０の制御状況に応じた駆動部６１の制御を行うことができることから、巻上げシステム６０の使用性を高めることが可能となる。
【０１２１】
（効果）
このように実施の形態３によれば、開閉機５０が、開閉側制御部によって制御される電動式の開閉機であり、巻上信号の入力を受け付ける巻上側操作部７１と、巻上側操作部７１にて受け付けられた巻上信号の入力の有無に基づいて駆動部６１を制御する巻上側制御部と、を備え、巻上側制御部が、巻上側操作部７１による巻上信号の入力が受け付けられている場合には、中止信号を開閉側制御部に対して出力するので、中止信号の出力を行わない場合に比べて、開閉側制御部による開閉機５０の制御と開閉側制御部による駆動部６１の制御とが同時に行われることで開閉機５０又は駆動部６１が故障することを回避できる。
【０１２２】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１２３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１２４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。
【０１２５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１２６】
（巻上げシステムの適用対象）
上記実施の形態３では、巻上げシステム６０が、電動式のシャッター装置であり、駆動側配線４に接続された巻上側制御部を備える開閉装置に適用されると説明したが、これに限らず、例えば、電動式のシャッター装置であり、電源側配線５に接続された巻上側制御部を備える開閉装置に適用されてもよい。この場合における制御処理は、実施の形態３に係る制御処理と同様に行われる。
【０１２７】
（開閉装置について）
上記実施の形態１から３では、開閉機５０、駆動部６１、及び巻上側制御ユニット７０が収納部１０の外部に設けられていると説明したが、これに限らず、例えば、開閉機５０、駆動部６１、又は巻上側制御ユニット７０の少なくとも一部が収納部１０の内部に設けられてもよい。
【０１２８】
（巻上げシステムについて）
上記実施の形態１から３では、巻上げシステム６０が、回数検知部６６及びコネクタ収納部６７を備えていると説明したが、これに限らず、例えば、回数検知部６６又はコネクタ収納部６７の少なくともいずれか一方を省略してもよい。ここで、コネクタ収納部６７が省略された場合には、第１コネクタ部６２は、躯体２に対して直接に取り付けられてもよく、あるいは、ガイドレール２０を介して躯体２に対して間接に取り付けられてもよい。
【０１２９】
また、上記実施の形態１から３では、電源側配線５が、コードリール６８を介して電源部６９と間接に接続されていると説明したが、これに限らない。例えば、コードリール６８を省略して、電源部６９と直接に接続されてもよい。
【０１３０】
また、上記実施の形態１、２では、駆動部６１に電力を供給する電源部６９が、１００Ｖの商用交流電源であると説明したが、これに限らず、例えば、１００Ｖの商用交流電源以外の他の電源手段（一例として、２００Ｖの商用交流電源、バッテリ、発電機等）であってもよい。
【０１３１】
（コネクタ収納部について）
上記実施の形態１から３では、コネクタ収納部６７が、施錠部６７ｃを備えていると説明したが、施錠部６７ｃを省略してもよい。
【０１３２】
また、実施の形態３では、コネクタ収納部６７に、第１コネクタ部６２、回数検知部６６、及び巻上側操作部７１が収納されていると説明したが、これに限らず、例えば、さらに加えて、開閉側操作部８２が収納されてもよい。
【０１３３】
（巻上側操作部について）
上記実施の形態１では、巻上側操作部７１が、電源側配線５及び駆動側配線４とは異なる他の配線を介して巻上側制御部と電気的に接続されていると説明したが、これに限らず、例えば、第１電源側配線５ａ又は第２電源側配線５ｂと電気的に接続されてもよい。
【０１３４】
また、上記実施の形態２、３では、巻上側操作部７１が、第２検知側配線（すなわち、電源側配線５及び駆動側配線４とは異なる他の配線）を介して第１コネクタ部６２と電気的に接続されていると説明したが、これに限らず、例えば、第１駆動側配線４ａ、第２駆動側配線４ｂ、又は電源側配線５と電気的に接続されてもよい。
【０１３５】
また、上記実施の形態３では、巻上側操作部７１が、コネクタ収納部６７に収納されていると説明したが、これに限らず、例えば、開閉側操作部８２又は手動閉鎖装置２１０に設けられてもよい。
【０１３６】
（付記）
付記１の巻上げシステムは、建物の開口部の開閉を行うための開閉体を開閉機を介して巻き上げるための巻上げシステムであって、前記開閉機の回転軸に接続された駆動手段であって、前記開閉機を電動で駆動させるための駆動手段と、前記開閉体を収納する収納手段の外部に設けられ、且つ前記駆動手段に対して直接又は間接に接続された駆動側配線に取り付けられたコネクタであって、前記駆動手段に電力を供給する電源手段に対して直接又は間接に接続された電源側配線を着脱自在に接続するためのコネクタと、を備え、前記コネクタを、前記建物の床面に位置する作業者が当該コネクタと前記電源側配線との着脱作業を実施可能となる位置に配置した。
【０１３７】
付記２の巻上げシステムは、付記１に記載の巻上げシステムにおいて、前記コネクタを、前記開口部の近傍に位置する前記建物の躯体の部分のうち前記床面よりも上方側の部分に対して直接又は間接に取り付けた。
【０１３８】
付記３の巻上げシステムは、付記１又は２に記載の巻上げシステムにおいて、前記コネクタを収納するためのコネクタ収納手段を備える。
【０１３９】
付記４の巻上げシステムは、付記１から３のいずれか一項に記載の巻上げシステムにおいて、前記駆動手段の駆動によって前記開閉体の巻き上げを指示する巻上信号の入力を受け付ける操作手段と、前記操作手段と電気的に接続された制御手段であって、前記操作手段による前記巻上信号の入力の有無に基づいて前記駆動手段を制御する制御手段と、を備え、前記電源側配線は、前記コネクタ側に位置する第１電源側配線と、前記電源手段側に位置する第２電源側配線と、を備え、前記第１電源側配線を介して前記制御手段と前記コネクタとを相互に接続すると共に、前記第２電源側配線を介して前記制御手段と前記電源手段とを相互に接続することにより、前記電源側配線、前記操作手段、及び前記制御手段を搬送可能とした。
【０１４０】
付記５の巻上げシステムは、付記１から３のいずれか一項に記載の巻上げシステムにおいて、前記収納手段の外部に設けられ、且つ前記コネクタに電気的に接続された操作手段であって、前記駆動手段の駆動によって前記開閉体の巻き上げを指示する巻上信号の入力を受け付ける操作手段と、前記収納手段の外部又は内部に設けられ、前記操作手段による前記巻上信号の入力の有無に基づいて前記駆動手段を制御する制御手段と、を備え、前記駆動側配線は、前記コネクタ側に位置する第１駆動側配線と、前記駆動手段側に位置する第２駆動側配線と、を備え、前記第１駆動側配線を介して前記制御手段と前記コネクタとを相互に接続すると共に、前記第２駆動側配線を介して前記制御手段と前記駆動手段とを相互に接続することにより、前記操作手段及び前記制御手段を前記建物の躯体又は前記収納手段に設置可能とした。
【０１４１】
付記６の巻上げシステムは、付記１から３のいずれか一項の巻上げシステムにおいて、前記開閉機は、第１制御手段によって制御される電動式の開閉機であり、前記駆動手段の駆動によって開閉体の巻き上げを指示する巻上信号の入力を受け付ける操作手段と、前記操作手段にて受け付けられた前記巻上信号の入力の有無に基づいて前記駆動手段を制御する第２制御手段と、を備え、前記第２制御手段は、前記操作手段による前記巻上信号の入力が受け付けられている場合には、前記第１制御手段による前記開閉機の制御を中止する旨を指示する中止信号を前記第１制御手段に対して出力する。
【０１４２】
付記７の巻上げシステムは、付記１から６のいずれか一項の巻上げシステムにおいて、前記電源手段は、１００Ｖの商用交流電源である。
【０１４３】
（付記の効果）
付記１に記載の巻上げシステムによれば、収納手段の外部に設けられ、且つ駆動手段に対して直接又は間接に接続された駆動側配線に取り付けられたコネクタであって、駆動手段に電力を供給する電源手段に対して直接又は間接に接続された電源側配線を着脱自在に接続するためのコネクタを備え、コネクタを、建物の床面に位置する作業者が当該コネクタと電源側配線との着脱作業を実施可能となる位置に配置したので、作業者が地上にいながら上記着脱作業を実施でき、従来技術（コネクタをシャッター収納部の内部に配置し、且つコネクタをシャッター収納部の外部において操作部よりも上方位置に配置した技術）に比べて、作業者が収納手段付近で上記着脱作業を行う必要がなくなることから、上記着脱作業を簡易且つ安全に行うことが可能となる。
【０１４４】
付記２に記載の巻上げシステムによれば、コネクタを、開口部の近傍に位置する建物の躯体の部分のうち床面よりも上方側の部分に対して直接又は間接に取り付けたので、上記着脱作業の作業性を維持しながら、コネクタを安定して取り付けることができる。
【０１４５】
付記３に記載の巻上げシステムによれば、コネクタを収納するためのコネクタ収納手段を備えるので、コネクタ収納手段にコネクタを収納できる。よって、コネクタが外部から露出することを防止できることから、例えば、コネクタを常設する場合において第三者によってコネクタが不用意に触れられることを回避しやすくなる。
【０１４６】
付記４に記載の巻上げシステムによれば、操作手段と、操作手段と電気的に接続された制御手段と、を備え、第１電源側配線を介して制御手段とコネクタとを相互に接続すると共に、第２電源側配線を介して制御手段と電源手段とを相互に接続することにより、電源側配線、操作手段、及び制御手段を搬送可能としたので、電源側配線、操作手段、及び制御手段をまとめて搬送することができる。よって、例えば、建物において開閉体、開閉機、駆動手段、コネクタ、及び駆動側配線を備える開閉装置が複数設置されている場合に、電源側配線、操作手段、及び制御手段からなるセットを１つ用意しておくだけで、このセットを用いて各開閉装置の開閉体の巻上げを行うことができ、巻上げシステムの設置コストの低減化を図りやすくなる。
【０１４７】
付記５に記載の巻上げシステムによれば、収納手段の外部に設けられ、且つコネクタに電気的に接続された操作手段と、収納手段の外部又は内部に設けられた制御手段と、を備え、第１駆動側配線を介して制御手段とコネクタとを相互に接続すると共に、第２駆動側配線を介して制御手段と駆動手段とを相互に接続することにより、操作手段及び制御手段を建物の躯体又は収納手段に設置可能としたので、駆動側配線、操作手段、及び制御手段をまとめて躯体又は収納手段に設置することができる。よって、上記着脱作業を行う際に制御手段及び操作手段を搬送する必要がなくなるため、電源側配線を用いて操作手段及び制御手段を接続する場合に比べて、上記着脱作業の効率化を図りやすくなる。
【０１４８】
付記６に記載の巻上げシステムによれば、開閉機が、第１制御手段によって制御される電動式の開閉機であり、巻上信号の入力を受け付ける操作手段と、操作手段にて受け付けられた巻上信号の入力の有無に基づいて駆動手段を制御する第２制御手段と、を備え、第２制御手段が、操作手段による巻上信号の入力が受け付けられている場合には、中止信号を第１制御手段に対して出力するので、中止信号の出力を行わない場合に比べて、第１制御手段による開閉機の制御と第２制御手段による駆動手段の制御とが同時に行われることで開閉機又は駆動手段が故障することを回避できる。
【０１４９】
付記７に記載の巻上げシステムによれば、電源手段が、１００Ｖの商用交流電源であるので、他の電源手段に比べて電力を比較的確保しやすくなるため、巻上げシステムの使用性を高めやすくなる。
【符号の説明】
【０１５０】
１  開閉装置
２  躯体
３  開口部
４  駆動側配線
４ａ  第１駆動側配線
４ｂ  第２駆動側配線
５  電源側配線
５ａ  第１電源側配線
５ｂ  第２電源側配線
６  第１検知側配線
７  第１開閉側配線
８  第２開閉側配線
９ａ  床面
９ｂ  天井
１０  収納部
１０ａ  まぐさ
１０ｂ  まぐさ開口
１１  駆動側軸受板
１２  駆動側取付片
１３  従動側軸受板
１４  ケース板
２０  ガイドレール
３０  開閉体
３１  スラット
３３  座板
４０  巻取軸
４０ａ  従動側シャフト部
４１  駆動側軸受部
４２  巻取軸側スプロケット
４３  伝達部材
５０  開閉機
５０ａ  接続板
５１  入力軸
５２  出力軸
５３  開閉機側スプロケット
５４  開閉機本体
５５  手動操作部
６０  巻上げシステム
６１  駆動部
６１ａ  第１接続部
６１ｂ  第２接続部
６１ｃ  第３接続部
６２  第１コネクタ部
６３  第２コネクタ部
６４  第３コネクタ部
６５  上限検知部
６６  回数検知部
６７  コネクタ収納部
６７ａ  本体部
６７ｂ  蓋部
６７ｃ  施錠部
６８  コードリール
６８ａ  配線
６９  電源部
７０  巻上側制御ユニット
７１  巻上側操作部
７１ａ  回転方向切替スイッチ
７１ｂ  起動スイッチ
７１ｃ  停止スイッチ
８１  上下限検知部
８２  開閉側操作部
９０  開閉側制御ユニット
１００  開閉装置
２００  開閉装置
２０１  配線
２１０  手動閉鎖装置
Ｈ１  作業可能位置
Ｈ２  操作可能位置
Ｍ  巻取軸の最大巻き径
【図１】
2020122341.tif 000003
【図２】
2020122341.tif 000004
【図３】
2020122341.tif 000005
【図４】
2020122341.tif 000006
【図５】
2020122341.tif 000007
【図６】
2020122341.tif 000008
【図７】
2020122341.tif 000009
【図８】
2020122341.tif 000010
【図９】
2020122341.tif 000011